(57)【要約】【課題】  高画質化し続ける薄型ＴＶに発熱対策には限度があり、更なる対策が必要となる。従来のアドレスドライバの温度低減方法では、アドレスドライバ回路とパネル温度とを独立に検出し、アドレスドライバ回路及びパネル温度を独立に制御していた。そのため、画質の劣化や消費電力の増大を招いていた。【解決手段】  本発明では、アドレスドライバの温度を検出する第１の温度検出センサと、前記アドレスドライバの駆動回路を制御する制御回路に設けたパネル温度を検出する第２の温度検出センサとを有する。前記２つの温度センサの温度情報を勘案することで、より温度条件の細分化が可能となり、状況に応じた制御が可能となる。発熱対策としてはアドレス電極に印加させる駆動電圧値、維持放電回数、ファンの回転、１フィールドを構成するサブフィールド数の制御を行なう。【選択図】  図５
2009139773.tif 000002
【特許請求の範囲】
【請求項１】
１フィールドが複数のサブフィールドにより構成され、前記サブフィールドはセル内の電荷を調整するリセット期間と、表示するセルを選択するアドレス期間と、セルを発光させるサステイン期間とを有するプラズマディスプレイ装置の駆動方法であって、
前記アドレス期間に駆動波形を発生させるアドレスドライバ回路の温度が第１の値以上で、かつプラズマディスプレイ装置の装置内温度が第２の値未満のときは前記アドレスドライバの発熱を抑制する第１の制御を行ない、前記アドレスドライバ回路の温度が第１の値以上で、かつ前記装置内温度が第２の値以上のときは前記アドレスドライバ回路の発熱を抑制する制御であって、前記第１の制御とは異なる第２の制御を行なうことを特徴とするプラズマディスプレイ装置の駆動方法。
【請求項２】
請求項１に記載のプラズマディスプレイ装置の駆動方法であって、前記第1の制御はファンを回転させる制御であり、前記第２の制御は前記アドレス期間において印加するアドレス電圧の電圧値を減少させる制御であることを特徴とするプラズマディスプレイ装置の駆動方法。
【請求項３】
請求項１に記載のプラズマディスプレイ装置の駆動方法であって、前記第１の制御はファンを回転させるまたは輝度を減少させる制御であり、前記第２の制御は前記アドレス期間において印加するアドレス電圧の電圧値を減少させ、所定時間経過後、ファンを回転させるまたは輝度を減少させる制御であることを特徴とするプラズマディスプレイ装置の駆動方法。
【請求項４】
請求項３に記載のプラズマディスプレイ装置の駆動方法であって、前記第２の制御において、ファンを回転させるまたは輝度を減少させる制御を行なう場合は、ファンを回転させ、所定時間経過後、輝度を減少させることを特徴とするプラズマディスプレイ装置の駆動方法。
【請求項５】
請求項３に記載のプラズマディスプレイ装置の駆動方法であって、前記第１の制御において、ファンを回転させるまたは輝度を減少させる制御を行なう場合は、ファンを回転させ、装置内温度が第2の値よりも低い第3の値以上である場合、輝度を減少させることを特徴とするプラズマディスプレイ装置の駆動方法。
【請求項６】
請求項１または５のいずれかに記載のプラズマディスプレイ装置の駆動方法であって、前記装置内温度はセル温度、パネル温度または装置内雰囲気温度であることを特徴とするプラズマディスプレイ装置の駆動方法。
【請求項７】
1フィールドを構成するサブフィールドにおいて電圧を印加することにより維持放電を行ない、セルを発光させる維持電極及び走査電極と
前記維持電極及び走査電極と交差するアドレス電極と
前記アドレス電極に電圧を印加するアドレスドライバ回路と
前記維持電極及び走査電極に電圧を印加する駆動回路と
前記アドレスドライバ回路を冷却する冷却部と
前記アドレスドライバ回路の温度が第１の値以上で、かつプラズマディスプレイ装置の装置内温度が第２の値未満のときは前記アドレスドライバの発熱を抑制するように前記アドレスドライバ回路、前記駆動回路、前記冷却部のいずれかを制御する第１の制御を行ない、前記アドレスドライバ回路の温度が第１の値以上で、かつ前記装置内温度が第２の値以上のときは前記アドレスドライバ回路の発熱を抑制するように前記アドレスドライバ回路、前記駆動回路、前記冷却部のいずれかを制御する前記第１の制御とは異なる第２の制御を行なう制御回路とを有するプラズマディスプレイ装置。
【請求項８】
請求項７に記載のプラズマディスプレイ装置であって、前記冷却部はアドレスドライバ回路を冷却するファンであって、前記第１の制御は、ファンを回転させる制御であり、前記第２の制御はアドレス電極に印加する電圧の電圧値を減少させる制御であることを特徴とするプラズマディスプレイ装置。
【請求項９】
請求項７に記載のプラズマディスプレイ装置であって、前記冷却部はアドレスドライバ回路を冷却するファンであって、前記第１の制御は、ファンを回転させるまたは輝度を減少させる制御であって、前記第２の制御は、前記アドレス電極に印加する電圧の電圧値を減少させ、所定時間経過後、ファンを回転させるまたは輝度を減少させる制御であることを特徴とするプラズマディスプレイ装置。
【請求項１０】
請求項９に記載のプラズマディスプレイ装置であって、前記制御回路はファンを回転させるまたは輝度を減少させる制御を行なう場合は、ファンを回転させ、所定時間経過後、輝度を減少させることを特徴とするプラズマディスプレイ装置。
【請求項１１】
1フィールドを構成するサブフィールドにおいて電圧を印加することにより維持放電を行ない、セルを発光させる維持電極及び走査電極と
前記維持電極及び走査電極と交差するアドレス電極と
前記アドレス電極に電圧を印加するアドレスドライバ回路と
前記維持電極及び走査電極に電圧を印加する駆動回路と
前記アドレスドライバ回路を冷却する冷却部と
アドレスドライバ回路の温度が上昇した場合、プラズマディスプレイ装置の装置内温度によってアドレスドライバ回路の発熱を抑制するように前記アドレスドライバ回路、前記駆動回路、前記冷却部のいずれかを制御する制御内容が異なる制御回路とを有するプラズマディスプレイ装置
【請求項１２】
請求項１１に記載のプラズマディスプレイ装置の駆動方法であって、前記冷却部はアドレスドライバ回路を冷却するファンであって、前記制御回路は前記装置内温度が低い場合は、ファンを回転させ、前記装置内温度が高い場合は、アドレス電極に印加する電圧を減少させる制御を行なうことを特徴とするプラズマディスプレイ装置の駆動方法。
【請求項１３】
請求項７乃至１２のいずれかに記載のプラズマディスプレイ装置であって、前記装置内温度はセル温度、パネル温度または装置内雰囲気温度であることを特徴とするプラズマディスプレイ装置。
【発明の詳細な説明】
【技術分野】
【０００１】
本発明は、プラズマディスプレイパネルを備えるプラズマディスプレイ装置に関する。
【背景技術】
【０００２】
自己発光デバイスであるプラズマディスプレイパネル（ＰＤＰ）の技術開発は、より大画面、高輝度化が進んでいる。そのため、回路部材に流れる電流が大きくなり、ＰＤＰに使用される回路部材の温度上昇が懸念される。
【０００３】
ＰＤＰでは、維持及び走査電極が互いに隣接して複数配置されると供に、維持及び走査電極に交差するようにアドレス電極が複数配置されている。また、１画面を表示する１フィールドは複数のサブフィールドに分割され、各サブフィールドはリセット期間と、表示データを書き込むためのアドレス期間と書き込まれた表示データに基づいて発光表示を行なうための維持放電期間からなる。
【０００４】
ＰＤＰに使用される回路部材の温度上昇を防止するための従来技術として次のようなものがある。特許文献１では、アドレス期間にアドレス電極に電圧を印加するアドレスドライバ回路と、アドレスドライバの温度を検出する温度検出手段と、アドレスドライバ回路を制御する制御回路を有し、前記制御回路は、温度検出手段からの検出温度に基づいてアドレスドライバ回路からのアドレス電極への印加電圧値と、アドレス電極に印加する駆動波形のスイッチング回数の少なくとも一方を制御している。また、前記検出温度に基づいて、サブフィールド数を制御している。特許文献２では、各ドライバ回路の温度及びパネル温度を検出し、いずれかの温度が閾値を超えた場合、全ての温度が閾値を下回るまで空冷装置で冷却し、さらに温度が上昇した場合、警告を発し、さらに温度が上昇した場合は電源を遮断する制御をしている。
【０００５】
【特許文献１】特開２００６−３９５８６  号公報
【特許文献２】特開平９−６２８３  号公報
【発明の開示】
【発明が解決しようとする課題】
【０００６】
しかしながら、上記プラズマディスプレイ装置も、高画質化し続ける薄型ＴＶとしては、画質を維持しつつ、発熱対策を行なわなければならない。表示データを書き込むためのアドレス期間では、ラインごとにセルを放電させるか否かを決定するため、アドレス電極に電圧を印加するアドレスドライバ回路では特に大きな発熱が生じる。特許文献１では、特に温度上昇が問題となるアドレスドライバ回路の発熱対策として、前記アドレスドライバの温度検出手段のみの温度条件で、装置内温度を勘案せずに前記アドレスドライバ回路からのアドレス電極への印加電圧値、アドレス電極に印加する駆動波形のスイッチング回数と、及び1フィールドを構成するサブフィールド数を制御していた。このため、特に装置内温度がそれほど高くない状況でアドレス電極に印加する電圧値を下げると、アドレス放電遅れが生じるので、画質の劣化を招く可能性があった。また、特許文献２では、パネル全体の温度と各ドライバ回路全ての温度とを閾値以下に保つため、パネル全体の温度及び全てのドライバ回路の温度が閾値以下になるまで空冷装置を作動させていた。この制御は、例えば、パネル全体の温度が高くて、アドレスドライバ回路の温度が十分に冷却された場合でもパネル全体と全てのドライバ回路を冷却する制御であった。そのため、冷却する必要のない部分（この場合、アドレスドライバ回路）も冷却していたため、必要以上の消費電力の増加を招いていた。
【０００７】
以上より、画質の劣化、消費電力の増加の防止を考慮しさらにこの２つを両立させたアドレスドライバの発熱対策が必要である。
【課題を解決するための手段】
【０００８】
本発明では、アドレスドライバ回路の温度と、装置内温度との２つの関係で、各制御の有無や順序を制御する。具体的には、アドレスドライバ回路の温度が第１の値以上で、かつプラズマディスプレイ装置の装置内温度が第２の値未満のときは前記アドレスドライバの発熱を抑制する第１の制御を行ない、前記アドレスドライバ回路の温度が第１の値以上で、かつ前記装置内温度が第２の値以上のときは前記アドレスドライバ回路の発熱を抑制する制御であって、前記第１の制御とは異なる第２の制御を行なう構成である。
【発明の効果】
【０００９】
本発明によれば、アドレスドライバ回路と装置内温度の両方を考慮した制御を行なうことで、画質劣化の防止、消費電力増加の防止を両立しつつ、アドレスドライバ回路の発熱対策を行なうことができる。
【発明を実施するための最良の形態】
【００１０】
以下、図１から図７により本発明をプラズマディスプレイ装置に適用した実施例を説明する。
【００１１】
図１、図２にプラズマディスプレイの装置の一例を図に示す。図１に各駆動回路が配置されている面から見た図を図２に各電極が配置されている面から見た図を示す。プラズマディスプレイは、背面版１０３にＸ駆動回路１５１、Ｙ駆動回路１５２、アドレス駆動回路（アドレスドライバ回路）１５３があり制御回路１００と接続されている。
【００１２】
背面板１０３にはＸ電極１０１、Ｙ電極１０２と交差する方向にアドレス電極１１１が配置されておりＸ駆動回路１５１は、Ｘ中継基板１５５とフレキシブルケーブル１５７によりＸ（維持）電極１０４と接続されている。Ｙ駆動回路１５２は、Ｙ中継基板１５４とフレキシブルケーブル１５７によりＹ（走査）電極１０２と接続されている。アドレス駆動回路１５３は、アドレス電極１１１に接続されており、アドレス中継基板１５６により制御回路１００と接続されている。また、アドレス駆動回路１５３の背面板１０３側には、温度検出センサ１が取り付けられている。温度検出センサ１によりアドレス駆動回路１５３の温度を検出する。制御回路１００にも、背面板側に温度検出センサ２が取り付けられている。温度検出センサ２により装置内の温度を検出する。
【００１３】
図１に示すようにアドレス駆動回路１５３は複数個あり（図２では複数個をまとめて示している）、その全てに温度検出センサ１がアドレス駆動回路の中央部に温度検出センサ1が取り付けられている。アドレス放電遅れは、パネルが低温のときに起こりやすく、温度検出センサ２はアドレス放電遅れに関係する装置内雰囲気温度・パネル温度・セル温度といった装置内の温度（以下装置内温度という）を検出できる位置に取り付ける。本例では温度検出センサ２の位置は、背面板１０３側にあり、取り付け位置は背面板１０３の中央付近とした。制御回路１００はＸ駆動回路１５１、Ｙ駆動回路１５２、アドレス駆動回路１５３、ファン１６０にそれぞれ接続されている。制御回路１００は背面板１０３側の中央付近にあり、図２においては点線部に位置する。
【００１４】
図３は図１、図２に示したプラズマディスプレイ装置が表示する１画像（１フィールド：１／６０ｓｅｃ）の画の、駆動方式を示す模式図であり、アドレス・表示分離方式の一例である。１フィールドは複数（本例では１０サブフィールド２０１〜２１０）のサブフィールドにより構成される。各サブフィールドはリセット期間２１１とアドレス期間２１２と維持期間２１３よりなる。リセット期間２１１では続くアドレス期間２１２の放電を援助する目的でセル内の電荷の制御を行ない、アドレス期間２１２では発光させるセルを決定する放電を行なう。続く維持期間２１３では繰り返し放電を行ない、セルを発光させる。
【００１５】
図４に駆動波形の一例を示す。（ａ）〜（ｃ）はそれぞれリセット期間から維持期間２１３にＸ電極１０１、Ｙ電極１０２、アドレス電極１１１の各電極に印加する駆動波形を示している。（ａ）はＸ電極１０１、（ｂ）はＹ電極１０２に印加される電圧波形、（ｃ）はアドレス電極１１１に印加される電圧波形である。
【００１６】
まず、（ａ）（ｂ）のＸ電極１０１、Ｙ電極１０２にはリセット期間において全セルに電荷を形成するＹ書き込み鈍波３１１とＸ電圧３０１が印加される。さらに続いてセル内に形成された電荷を必要量残して消去するＹ補償鈍波３１２とＸ補償電圧３０２が印加される。
【００１７】
次のアドレス期間において印加される電圧波形は行方向の表示するセルを決める放電を行なう奇数行の走査パルス３１３と、本放電により壁電荷を形成するためのＸ電圧３０３である。この走査パルス３１３は行毎にタイミングをずらして印加される。
【００１８】
続いて維持期間２１３には第1の維持パルス３０４、３１４、繰り返し維持パルス３０５、３０６、３１５、３１６が印加される。本発明のＰＤＰはＡＣ型のＰＤＰであるため、維持パルス３０５、３０６、３１５、３１６のような逆極性の放電パルス一組を、便宜上、一回のサステインパルスとみなす。最後に消去パルス３０７、３１７が印加される。
【００１９】
図５に本発明の制御のブロック図を示す。図１、図２で説明したアドレスドライバ温度検出センサ１、装置内温度検出センサ２で検出されたそれぞれの温度情報３、温度情報４は制御方法演算手段６へ送られ記録される。温度情報３、温度情報４は温度検出センサ１、温度検出センサ２で検出した値であるが、それぞれの温度検出センサを複数配置した場合、複数のセンサの検出値の最大値や平均値を使用したり、各センサに重み付けをした値を使用したりして算出してもよい。各センサに重み付けをした値を使用すれば、平均値や最大値を使用するよりも細かい制御を行なうことができる一方で、制御が複雑となる。制御方法演算手段６へ送られた２つの温度情報は温度条件データ７として温度条件テーブル５へ送られる。温度条件テーブル５には温度条件に対応して、図６（a）から図６（e）に示すAからEの制御方法が実行される。具体的には、図６（a）から図６（e）に示すようなテーブルに格納されており、温度条件テーブル５にある温度条件に合致する制御方法AからEを温度条件テーブルから制御情報８として制御方法演算手段６に読み込む。制御方法演算手段６は温度条件テーブル５から読み出した制御情報８と現在行なわれている制御として記録された制御情報とを比較した結果、行なうべき制御がある場合は、制御情報９をアドレス駆動回路151、X駆動回路152、Y駆動回路153、ファン160へ送り、制御が行なう。制御方法演算手段６で制御開始からの時間がカウントされる。制御開始から所定時間が経過後に、再度温度検出センサにより温度検出が行なわれ、温度情報３、温度情報４が制御方法演算手段６へ送られ、上記の処理が繰り返される。
【００２０】
図６（a）から図６（e）に図５の温度条件テーブル５に対応する温度条件テーブルの例を示す。図６（a）から図６（e）では、アドレスドライバ回路の温度、装置内温度にそれぞれに閾値を設け、それぞれの温度が閾値以上であるか以下であるかによって、AからEのいずれの制御を行なうかを示している。アドレスドライバ回路の温度、装置内温度に関して、それぞれ２つずつの閾値を設けたが、それ以外の数の閾値を設けてもよい。
【００２１】
図６（a）から図６（e）の右上に示すAからEは制御方法を示し、図５において温度情報８として制御方法演算手段６に読み込まれる。温度条件によって、複数の制御方法がある場合は、複数の制御方法を同時に実行するのではなく、現在行なわれていない制御方法の中から１つを選択して制御を行なう。所定時間経過後同じ温度条件が継続していた場合は、現在行なわれている制御を継続しつつ、さらに現在行われていない制御方法の中から１つを選択して制御を行なう。本実施例では、制御を開始してからアドレスドライバ回路の温度に影響の出始める時間として、制御開始から6分程度を所定時間とする。このように所定の時間間隔をおいて１つずつ制御を行なうことにより急激な画質の劣化や消費電力の増加を防ぐことができる。複数の制御方法から１つずつを選択する場合には、どのような制御方法から実行していくかについて優先順位を設けてもよい。
【００２２】
また、前の制御が行われたときと温度条件が変化した場合は、新たな温度条件に応じた制御方法を温度条件テーブルに基づき特定する。新たに特定された制御と現在行なっている制御方法とを比較し、行なうべきでない制御を停止し、新たに行なうべき制御がある場合は新たな制御方法を選択して制御を行なう。
【００２３】
なお、装置駆動開始時において、アドレス電極に印加する電圧の電圧値や印加時間、維持放電回数、サブフィールド数など制御すべきパラメータは所定の初期値に設定される。ファンもアドレスドライバ回路の温度が上昇し所定温度に達したと判断されるまでは作動しない。
【００２４】
次に、具体的な閾値について説明する。アドレスドライバ回路は95℃を超えると故障や表示特性悪化の原因となる。そのため、95℃を超えることがないように、70℃以上であった場合に発熱対策を行なう必要があるので閾値の１つを70℃とした。また、70℃未満であっても40℃以上であった場合、すぐには発熱対策を行なう必要がないが、装置内温度や他の制御の影響により発熱対策を行なう必要がある場合があるので他の閾値40℃とした（図６（d）参照）。
【００２５】
装置内温度に関しては、60℃以上であった場合、アドレス電極に印加する電圧の電圧値または印加時間を減少させてもアドレス放電遅れが生じにくいので閾値の１つを60℃とした。また、10℃未満であった場合、アドレスドライバ回路が装置内温度の影響を受け冷却されやすく、アドレス電極に印加する電圧の電圧値または印加時間を増加させないとアドレス放電遅れが生じやすくなるので他の閾値を10℃とした。なお、ここでいう装置内温度とは、パネル温度、セル温度、装置内雰囲気温度である。
【００２６】
図６（a）から図６（e）の温度情報テーブルにおいては以上のように閾値を設定したが、これは一例にすぎず、異なる閾値を設定してもよい。
【００２７】
次に各制御方法について説明する。制御方法Aはアドレス電極に印加する電圧値を増加させる制御である。制御方法Bはアドレス電極に印加する電圧値を減少させる制御である。制御方法A及び制御方法Bを行なうと、アドレスドライバ回路に流れる電流値が変化する。アドレス電極に印加する電圧値を大きくすると、アドレスドライバ回路に流れる電流値が大きくなる関係にあり、アドレスドライバ回路に流れる電流値が多くなると、アドレスドライバ回路の発熱が大きくなる関係にある。また、アドレス電極に印加する電圧値はアドレス放電遅れが起きるか否かに関係し、装置内が低温時であるときに印加電圧値が低いと、アドレス放電遅れが生じやすく、画質の劣化が伴いやすい。アドレス放電遅れを防止するという趣旨であれば、制御方法Aはアドレス電極に印加する電圧の電圧値を増加させるという制御に限定する必要はなく、印加時間を変化させてもよい。アドレス電極に印加させる電圧の印加時間を変える制御のほうが電圧値を変える制御よりも回路を簡易化でき、低コスト化に役立つ。制御方法Cはファンを回転させる制御である。制御方法Cはアドレスドライバ回路を直接冷却させる制御である。制御方法Cは画質の劣化を直接生じさせることはないが、消費電力の増大を招くというデメリットもある。制御方法Dは維持放電回数を減少させる制御である。制御方法Dはアドレスドライバ回路の温度に直接影響を与えるものではないが、装置内温度の上昇を抑制することにより、間接的にアドレスドライバ回路の発熱を抑制する制御である。アドレスドライバ回路の温度に直接影響を与えるものではないが、装置内温度の上昇を抑制する趣旨の制御であれば、維持放電回数を変化させるという制御に限定する必要はなく、例えば、サステインパルスの電圧や印加時間を下げてもよい。制御方法Dを行なうことにより、装置内温度の上昇を抑えることができるが、輝度が下がり、画質に影響が生じるというデメリットもある。制御方法Eは１フィールドを構成するサブフィールド数を減少させる制御である。制御方法Eは制御方法Bと同様にアドレスドライバ回路に流れる電流を減らし、アドレスドライバ回路の発熱を抑える制御である。しかし、表現できる階調数が少なくなり、画質に影響が生じるというデメリットもある。
【００２８】
図６（a）から図６（e）の各温度条件テーブルについて具体的に説明する。図６（a）では各温度条件に応じて以下のような制御を行なう。
【００２９】
アドレスドライバ回路温度≧70℃かつ装置内温度≧60℃のときは制御方法B、制御方法C、制御方法Dまたは制御方法Eを行なう。この温度条件ではアドレスドライバ回路の発熱を抑制する必要があるが、装置内温度も高く、アドレス放電遅れが起きにくい。そのため、アドレス電極に印加する電圧を減少させても画質の劣化は生じにくい。そこで、制御方法Bを行っている。また、消費電力の増大は伴うものの、画質の劣化は生じない制御として制御方法Cを行っている。また、画質の劣化は伴うものの、アドレスドライバ回路の発熱を抑制する制御として制御方法D、制御方法Eを行なっている。
【００３０】
アドレスドライバ回路温度≧70℃かつ10℃≦装置内温度≦60℃のときは制御方法C、制御方法Dまたは制御方法Eを行なう。アドレスドライバ回路の発熱を抑制する必要がある一方、アドレス電極に印加する電圧を減少させると、アドレス放電遅れが生じやすく、画質の劣化を伴いやすい。そのため、制御方法Bは行なわない。
【００３１】
アドレスドライバ回路温度≧70℃かつ装置内温度≦10℃のときは制御方法Cを行なう。アドレスドライバ回路の発熱を抑制する必要がある一方、アドレス電極に印加する電圧を減少させると、アドレス放電遅れが生じやすく、画質の劣化を伴いやすい。そのため、制御方法Bは行なわない。また、装置内温度が低いため、装置内温度の上昇を抑制することにより、間接的にアドレスドライバ回路の発熱を抑制する制御方法Dや画質の劣化を伴う制御方法Eは行なわない。
【００３２】
図６（a）では以上のような制御を行なうが、アドレスドライバ回路温度≧70℃かつ装置内温度≧10℃のときに行なう制御が多いので、画質の劣化を伴いやすいが、アドレスドライバ回路の発熱をより確実に抑制することができる。そのため、発熱に弱い回路を用いる場合に適している。
【００３３】
図６（b）では図６（a）と比較し、アドレスドライバ回路温度≧70℃かつ装置内温度≧60℃のときとアドレスドライバ回路温度１≧70℃かつ温度情報２≦60℃のときに行なう制御が異なっている。
【００３４】
アドレスドライバ回路温度≧70℃かつ装置内温度≧60℃のときは制御方法Bのみを行なっている。アドレスドライバ回路温度１≧70℃かつ温度情報２≦60℃のときは制御方法Cのみを行なっている。他の制御方法に関しては画質の劣化を招くために行なわない。
【００３５】
図６（b）では以上のような制御を行なうが、行なう制御が少ないため、アドレスドライバ回路の温度が下がるまで時間がかかるが、画質の劣化は伴いにくい。そのため、発熱に強い回路を用いる場合に適している。
【００３６】
図６（c）では図６（a）と比較し、アドレスドライバ回路温度≧70℃かつ装置内温度≧60℃のときとアドレスドライバ回路温度１≧70℃かつ温度情報２≦60℃のときに行なう制御が異なっている。
【００３７】
アドレスドライバ回路温度≧70℃かつ装置内温度≧60℃のときは制御方法B、制御方法Cまたは制御方法Dの制御を行なっている。アドレスドライバ回路温度≧70℃かつ10℃≦装置内温度≦60℃のときは制御方法C、制御方法Dの制御を行なっている。
【００３８】
図６（c）では以上のような制御を行なうが、行なう制御の数は図６（a）、図６（b）の場合の間であり、アドレスドライバ回路の温度が下がるまでの時間や画質に与える影響も図６（a）、図６（b）の間である。
【００３９】
図６（d）は図６（a）と比較し、40℃≦アドレスドライバ回路温度≦70℃かつ装置内温度≧60℃のとき、アドレスドライバ回路温度≦70℃かつ装置内温度≦40℃のときに行なう制御が異なっている。
【００４０】
40℃≦アドレスドライバ回路温度≦70℃かつ装置内温度≧60℃のときは制御方法Bを行なう。装置内温度が高く、アドレス電極に印加する電圧を減少させても画質の劣化は生じにくい。また、すぐにはアドレスドライバを冷却させる必要はないが、装置内の温度が高いため、その影響によりアドレスドライバの温度が上昇しやすいので、アドレス電極に印加する電圧を減少させてアドレスドライバの発熱を抑制している。
【００４１】
アドレスドライバ回路温度≦40℃かつ装置内温度≦10℃のときは制御方法Aを行なっている。装置内温度が低いので、アドレス電極に印加させる電圧を高くすることでアドレス放電遅れを防止している。
【００４２】
40℃≦アドレスドライバ回路温度≦70℃かつ装置内温度≦10℃のときは制御方法Aまたは制御方法Cの制御を行なっている。装置内温度が低いので、アドレス電極に印加させる電圧を高くすることでアドレス放電遅れを防止している。また、アドレス電極に印加する電圧を高くすると、アドレスドライバ回路の温度が上昇しやすくなるので、制御方法Cにより、アドレスドライバ回路の発熱を抑制している。
【００４３】
図６（a）〜（d）の温度条件テーブルではAからEのいずれかの制御を行なうかのみを示しているが、同じ制御でも温度条件によって制御量を変えてもよい。例えば、制御方法Bを行なう場合でも、アドレス電極に印加する電圧を初期値の65Vから5V減少させ、60Vにする制御方法B’とアドレス電極に印加する電圧を10V減少させ55Vにする制御方法B”という2種類の制御を行ってもよい。図６（e）では制御量を変化させた温度条件テーブルを示す。制御方法B’はアドレス電極に印加する電圧値を5V減少させる制御で制御方法B”はアドレス電極に印加する電圧値を10V減少させる制御である。制御方法D’は維持放電回数を10％減少させる制御で、制御方法D”は維持放電回数を20％減少させる制御である。このように、同じ制御でも制御量を変化させれば、制御量を変化させない場合よりも細かい制御が可能となり、画質劣化の防止と消費電力増大の防止をより両立させつつアドレスドライバの発熱の抑制を図ることができる。
【００４４】
図６（e）は図６（a）と比較し、アドレスドライバ回路温度１≧70℃かつ温度情報２≦60℃のときに行なう制御が異なっている。また、アドレスドライバ回路温度≧70℃かつ装置内温度≧60℃のときとアドレスドライバ回路温度１≧70℃かつ装置内温度≦60℃のときに行なう制御で制御量を変化させている。
【００４５】
アドレスドライバ回路温度≧70℃かつ装置内温度≧60℃のときは制御方法B”、制御方法Cまたは制御方法D”を行なっている。制御方法B”を行なうことで、アドレスドライバ回路の発熱を抑制しているが、装置内温度も高く、アドレス放電遅れがおきにくいので画質の劣化は生じない。また、制御方法D”を行なうことで、装置内温度の上昇を抑え、間接的にアドレスドライバ回路の発熱を抑制している。
【００４６】
アドレスドライバ回路温度≧70℃かつ10℃≦装置内温度≦60℃のときは制御方法B’制御方法Cまたは制御方法D’の制御を行なっている。制御方法B’は制御方法B”よりも制御量が少ないので、制御方法B’を行なうことによりアドレスドライバ回路の発熱を抑制しつつ、アドレス放電遅れが生じるのを防止している。制御方法D’は制御方法D”よりも制御量が少ないので、制御方法D’を行なうことにより、輝度を大きく損なうことなく装置内温度の上昇を抑える、間接的にアドレスドライバの発熱を抑制している。
【００４７】
図６（a）から図６（e）で温度条件テーブルの例を示したが、アドレスドライバ回路の温度が上昇した場合に装置内温度に応じて異なる制御を行ない、画質の劣化または消費電力の増大を防止しつつアドレスドライバ回路の発熱を防止するという本発明の趣旨に合致すれば、これらと異なる温度条件テーブルを用いて制御を行なってもよい。
【００４８】
特定の温度条件において、行なう制御が複数ある場合には制御方法を1つずつ選択することで複数の制御を行なう。ここでは、選択する制御に優先順位を設けた例を図７に示す。
【００４９】
図７（a）に画質を考慮した優先順位を示す。アドレスドライバ回路温度≧70℃かつ装置内温度≧60℃の場合は制御方法B、制御方法C、制御方法D、制御方法Eの順番で制御を行なう。装置内温度が高い条件下ではアドレス放電遅れが生じにくいため、制御方法Bを最初に行なうことにより画質の劣化も消費電力の増大も伴わず、アドレスドライバ回路の発熱を抑制している。次に制御方法Cを行なうことにより、消費電力の増大は伴うが、画質の劣化は伴わずにアドレスドライバ回路の発熱を抑制できる。制御方法Dと制御方法Eを比較すると、共に画質の劣化は伴うが、制御方法Dは輝度、制御方法Eは階調に影響を与えるため、制御方法Dの方が画質に与える影響が小さい。よって、制御方法Cを行なった後は、制御方法D、制御方法Eの順番で制御を行ない、画質に影響の小さい制御を先に行なうようにしている。
【００５０】
図７（b）に消費電力増大を考慮した優先順位を示す。図７（b）は図７（a）と比較し、制御方法Cを最後に行なっている点が異なる。消費電力の増大を伴う制御は制御方法Cのみであるので、制御方法Cを最後に行ない、消費電力の抑制を画質改善よりも重視している。
【００５１】
図７では、図６（a）の温度条件テーブルで、アドレスドライバ回路温度≧70℃かつ装置内温度≧60℃の場合についての制御の順番を示したが、他の温度条件についても制御の順番を設けてもよい。また、図７に画質劣化防止・消費電力抑制を優先した温度条件テーブルを示したが、これは一例にすぎず、本発明の趣旨に合致すれば、必要に応じて優先順位を変更したり、新たな制御を追加したり、不要な制御を削除したりしてもよい。
【００５２】
また、閾値を超えたか否かは温度検出センサによる判断だけでなく以下のような方法によって、判断できる。アドレスドライバ回路の温度に関してはアドレスドライバに流れる電流や装置を駆動させてからの時間や制御を開始してからの時間などから計算して判断できる。装置内温度に関しては各放電セルの輝度から計算した表示率や装置を駆動させてからの時間や制御を開始してからの時間や装置外の温度などから計算して判断できる。
【産業上の利用可能性】
【００５３】
本発明は、大画面、高画質化したプラズマディスプレイ装置の安全性及び表示品質の向上に貢献する。
【図面の簡単な説明】
【００５４】
【図１】本発明におけるプラズマディスプレイ装置の構造図
【図２】本発明におけるプラズマディスプレイ装置の構造図
【図３】本発明におけるプラズマディスプレイ装置のサブフィールドの概念図
【図４】本発明におけるプラズマディスプレイ装置の駆動波形の一例
【図５】本発明におけるプラズマディスプレイ装置の実施例の概略図
【図６（ａ）】本発明におけるプラズマディスプレイ装置の実施例の概略図
【図６（ｂ）】本発明におけるプラズマディスプレイ装置の実施例の概略図
【図６（ｃ）】本発明におけるプラズマディスプレイ装置の実施例の概略図
【図６（ｄ）】本発明におけるプラズマディスプレイ装置の実施例の概略図
【図６（ｅ）】本発明におけるプラズマディスプレイ装置の実施例の概略図
【図７（ａ）】本発明におけるプラズマディスプレイ装置の実施例の概略図
【図７（ｂ）】本発明におけるプラズマディスプレイ装置の実施例の概略図
【符号の説明】
【００５５】
１…アドレスドライバ温度検出センサ１
２…装置内温度検出センサ２
３…温度情報３
４…温度情報４
５…温度条件テーブル
６…制御方法演算手段
７…温度条件データ
８…制御データ
９…制御情報
１０…制御手段
１００…制御回路
１０１…Ｘ電極
１０２…Ｙ電極
１０３…背面板
１１１…アドレス電極
１１２…隔壁
１１３…背面板側誘電体層
１５０…ＰＤＰ
１５１…Ｘ駆動回路
１５２…Ｙ駆動回路
１５３…アドレス駆動回路
１５４…Ｙ中継基板
１５５…Ｘ中継基板
１５６…アドレス中継基板
１５７…フレキシブルケーブル
１６０…ファン
２０１〜２１０…サブフィールド
２１１…リセット期間
２１２…アドレス期間
２１３…維持期間
３０１…Ｘ電圧
３０２…Ｘ補償電圧
３０３…壁電荷形成Ｘ電圧
３０４、３１４…第1維持パルス
３０５、３０６、３１５、３１６、…繰り返し維持パルス
３０７、３１７…消去パルス
３１１…Ｙ書き込み鈍波
３１２…Ｙ補償鈍波
３１３…走査パルス
【図１】
2009139773.tif 000003
【図２】
2009139773.tif 000004
【図３】
2009139773.tif 000005
【図４】
2009139773.tif 000006
【図５】
2009139773.tif 000007
【図６（ａ）】
2009139773.tif 000008
【図６（ｂ）】
2009139773.tif 000009
【図６（ｃ）】
2009139773.tif 000010
【図６（ｄ）】
2009139773.tif 000011
【図６（ｅ）】
2009139773.tif 000012
【図７（ａ）】
2009139773.tif 000013
【図７（ｂ）】
2009139773.tif 000014
【手続補正書】
【提出日】平成19年12月14日(2007.12.14)
【手続補正２】
【補正対象書類名】明細書
【補正対象項目名】０００１
【補正方法】変更
【補正の内容】
【０００１】
本発明は、プラズマディスプレイパネルを備えるプラズマディスプレイ装置及びその駆動方法に関する。
【手続補正３】
【補正対象書類名】特許請求の範囲
【補正対象項目名】全文
【補正方法】変更
【補正の内容】
【特許請求の範囲】
【請求項１】
１フィールドが複数のサブフィールドにより構成され、前記サブフィールドはセル内の電荷を調整するリセット期間と、表示するセルを選択するアドレス期間と、セルを発光させるサステイン期間とを有するプラズマディスプレイ装置の駆動方法であって、
前記アドレス期間に駆動波形を発生させるアドレスドライバ回路の温度が第１の値以上で、かつプラズマディスプレイ装置の装置内温度が第２の値未満のときは前記アドレスドライバ回路の発熱を抑制する第１の制御を行ない、前記アドレスドライバ回路の温度が第１の値以上で、かつ前記装置内温度が第２の値以上のときは前記アドレスドライバ回路の発熱を抑制する制御であって、前記第１の制御とは異なる第２の制御を行なうことを特徴とするプラズマディスプレイ装置の駆動方法。
【請求項２】
請求項１に記載のプラズマディスプレイ装置の駆動方法であって、前記第1の制御はファンを回転させる制御であり、前記第２の制御は前記アドレス期間において印加するアドレス電圧の電圧値を減少させる制御であることを特徴とするプラズマディスプレイ装置の駆動方法。
【請求項３】
請求項１に記載のプラズマディスプレイ装置の駆動方法であって、前記第１の制御はファンを回転させるまたは輝度を減少させる制御であり、前記第２の制御は前記アドレス期間において印加するアドレス電圧の電圧値を減少させ、所定時間経過後、ファンを回転させるまたは輝度を減少させる制御であることを特徴とするプラズマディスプレイ装置の駆動方法。
【請求項４】
請求項３に記載のプラズマディスプレイ装置の駆動方法であって、前記第２の制御において、ファンを回転させるまたは輝度を減少させる制御を行なう場合は、ファンを回転させ、所定時間経過後、輝度を減少させることを特徴とするプラズマディスプレイ装置の駆動方法。
【請求項５】
請求項３に記載のプラズマディスプレイ装置の駆動方法であって、前記第１の制御において、ファンを回転させるまたは輝度を減少させる制御を行なう場合は、ファンを回転させ、装置内温度が第2の値よりも低い第3の値以上である場合、輝度を減少させることを特徴とするプラズマディスプレイ装置の駆動方法。
【請求項６】
請求項１に記載のプラズマディスプレイ装置の駆動方法であって、前記装置内温度はセル温度、パネル温度または装置内雰囲気温度であることを特徴とするプラズマディスプレイ装置の駆動方法。
【請求項７】
1フィールドを構成するサブフィールドにおいて電圧を印加することにより維持放電を行ない、セルを発光させる維持電極及び走査電極と
前記維持電極及び走査電極と交差するアドレス電極と
前記アドレス電極に電圧を印加するアドレスドライバ回路と
前記維持電極及び走査電極に電圧を印加する駆動回路と
前記アドレスドライバ回路を冷却する冷却部と
前記アドレスドライバ回路の温度が第１の値以上で、かつプラズマディスプレイ装置の装置内温度が第２の値未満のときは前記アドレスドライバ回路の発熱を抑制するように前記アドレスドライバ回路、前記駆動回路、前記冷却部のいずれかを制御する第１の制御を行ない、前記アドレスドライバ回路の温度が第１の値以上で、かつ前記装置内温度が第２の値以上のときは前記アドレスドライバ回路の発熱を抑制するように前記アドレスドライバ回路、前記駆動回路、前記冷却部のいずれかを制御する前記第１の制御とは異なる第２の制御を行なう制御回路とを有するプラズマディスプレイ装置。
【請求項８】
請求項７に記載のプラズマディスプレイ装置であって、前記冷却部はアドレスドライバ回路を冷却するファンであって、前記第１の制御は、ファンを回転させる制御であり、前記第２の制御はアドレス電極に印加する電圧の電圧値を減少させる制御であることを特徴とするプラズマディスプレイ装置。
【請求項９】
請求項７に記載のプラズマディスプレイ装置であって、前記冷却部はアドレスドライバ回路を冷却するファンであって、前記第１の制御は、ファンを回転させるまたは輝度を減少させる制御であって、前記第２の制御は、前記アドレス電極に印加する電圧の電圧値を減少させ、所定時間経過後、ファンを回転させるまたは輝度を減少させる制御であることを特徴とするプラズマディスプレイ装置。
【請求項１０】
請求項９に記載のプラズマディスプレイ装置であって、前記制御回路はファンを回転させるまたは輝度を減少させる制御を行なう場合は、ファンを回転させ、所定時間経過後、輝度を減少させることを特徴とするプラズマディスプレイ装置。
【請求項１１】
請求項７に記載のプラズマディスプレイ装置であって、前記装置内温度はセル温度、パネル温度または装置内雰囲気温度であることを特徴とするプラズマディスプレイ装置。
【請求項１２】
1フィールドを構成するサブフィールドにおいて電圧を印加することにより維持放電を行ない、セルを発光させる維持電極及び走査電極と
前記維持電極及び走査電極と交差するアドレス電極と
前記アドレス電極に電圧を印加するアドレスドライバ回路と
前記維持電極及び走査電極に電圧を印加する駆動回路と
前記アドレスドライバ回路を冷却する冷却部と
アドレスドライバ回路の温度が上昇した場合、プラズマディスプレイ装置の装置内温度によってアドレスドライバ回路の発熱を抑制するように前記アドレスドライバ回路、前記駆動回路、前記冷却部のいずれかを制御する制御内容が異なる制御回路とを有するプラズマディスプレイ装置
【請求項１３】
請求項１２に記載のプラズマディスプレイ装置であって、前記冷却部はアドレスドライバ回路を冷却するファンであって、前記制御回路は前記装置内温度が低い場合は、ファンを回転させ、前記装置内温度が高い場合は、アドレス電極に印加する電圧を減少させる制御を行なうことを特徴とするプラズマディスプレイ装置。
【請求項１４】
請求項１２に記載のプラズマディスプレイ装置であって、前記装置内温度はセル温度、パネル温度または装置内雰囲気温度であることを特徴とするプラズマディスプレイ装置。